(57)【要約】【課題】簡易な設備で定型および／または可変情報の印刷層を剥離層に設けた剥離シート、粘着ラベルの粘着層に前記印刷層を設けた剥離層を貼着した粘着ラベルおよびその製造方法を提供すること。【解決手段】本発明の熱転写剥離シートは、剥離シート基材と剥離層とで構成された剥離シートと、前記剥離層上に熱転写により設けられた定型および／または可変情報を示す印刷層とを有し、前記剥離層は、オレフィン系熱可塑性エラストマーとポリエチレンとの両方を含有している剥離剤で構成されていることを特徴とする。【選択図】  図１
2006082551.tif 000002
【特許請求の範囲】
【請求項１】
剥離シート基材と剥離層とで構成された剥離シートと、
前記剥離層上に熱転写により設けられた定型および／または可変情報を示す印刷層とを有し、
前記剥離層は、オレフィン系熱可塑性エラストマーとポリエチレンとの両方を含有している剥離剤で構成されていることを特徴とする熱転写印刷剥離シート。
【請求項２】
前記印刷層は、熱転写リボンを用いて前記剥離層上に設けられるものであり、
前記熱転写リボンは、熱溶融性樹脂としてエポキシ樹脂を含むものである請求項１に記載の熱転写印刷剥離シート。
【請求項３】
ラベル基材と粘着層とで構成された粘着ラベルの粘着層に、請求項１または２に記載の熱転写印刷剥離シートの前記印刷層を設けた剥離層を貼着したことを特徴とする熱転写印刷粘着ラベル。
【請求項４】
剥離シート基材と剥離層とで構成された剥離シートの前記剥離層に熱転写で定型および／または可変情報を示す印刷層を設ける工程と、
ラベル基材と粘着層からなる粘着ラベルの前記粘着層を、前記印刷層を設けた前記剥離層に貼着して、前記印刷層を前記粘着層の表面に転写させる工程とを有し、
前記剥離層は、オレフィン系熱可塑性エラストマーとポリエチレンとの両方を含有している剥離剤で構成されていることを特徴とする熱転写印刷粘着ラベルの製造方法。
【請求項５】
前記印刷層は、熱転写リボンを用いて前記剥離層上に設けられ、
前記熱転写リボンは、熱溶融性樹脂としてエポキシ樹脂を含むものである請求項４に記載の熱転写印刷粘着ラベルの製造方法。
【発明の詳細な説明】
【技術分野】
【０００１】
本発明は、熱転写印刷剥離シート、熱転写印刷粘着ラベルおよび熱転写印刷粘着ラベルの製造方法に関するものである。
【背景技術】
【０００２】
文字、図形、絵等が付された粘着ラベルが幅広く流通し、様々な用途に使用されている。通常の粘着ラベルでは、文字、図形、絵等（以下、単に「情報」という）は、粘着ラベルの表面に付されているが、この他に、裏面に情報が付された粘着ラベルが、知られている。
【０００３】
このような粘着ラベルは、一般に、粘着ラベルの粘着層の表面に直接印刷を施すことにより、製造される。
しかし、この方法では、印刷ヘッドに粘着剤が付着してしまう場合がある。
【０００４】
このような不具合を防止するため、粘着ラベルの基材の裏面に印刷を施した後、この印刷上に粘着剤を設ける方法が考えられる。
しかし、この場合、粘着ラベル製造の途中段階で印刷工程が必要なため、粘着ラベルの製造設備が大型化し、小ロットでの製造が困難である。
【０００５】
特開平６−１７５５８６には、剥離紙に印刷を施し、この印刷上に粘着ラベルの裏面を貼着して、剥離紙に印刷した情報を粘着ラベルに転写する発明が開示されている。
【０００６】
しかし、この方法で粘着ラベルを製造しようとすると、版が必要なため、多大な手間が必要であり、しかも、可変情報の印刷は困難である。
【０００７】
また、従来粘着ラベルが剥がされた後、被着体に貼着していたことを示すため粘着層に蛍光染料等を含ませ、剥がされた後も蛍光染料が被着体に残り紫外線ランプ等の照射によって発光することを利用したシールが存在する。しかし、この場合、さらに被着体の発光部が情報表示することが望まれていた。
【発明の開示】
【発明が解決しようとする課題】
【０００８】
本発明の目的は、簡易な設備で手間なく定型および／または可変情報の印刷層を剥離層に設けた熱転写印刷剥離シート、粘着ラベルの粘着層に前記印刷層を設けた剥離層を貼着した熱転写印刷粘着ラベルを提供することにある。
【課題を解決するための手段】
【０００９】
このような目的は、下記（１）〜（５）の本発明により達成される。
（１）  剥離シート基材と剥離層とで構成された剥離シートと、
前記剥離層上に熱転写により設けられた定型および／または可変情報を示す印刷層とを有し、
前記剥離層は、オレフィン系熱可塑性エラストマーとポリエチレンとの両方を含有している剥離剤で構成されていることを特徴とする熱転写印刷剥離シート。
【００１０】
（２）  前記印刷層は、熱転写リボンを用いて前記剥離層上に設けられるものであり、
前記熱転写リボンは、熱溶融性樹脂としてエポキシ樹脂を含むものである上記（１）に記載の熱転写印刷剥離シート。
【００１１】
（３）  ラベル基材と粘着層とで構成された粘着ラベルの粘着層に、上記（１）または（２）に記載の熱転写印刷剥離シートの前記印刷層を設けた剥離層を貼着したことを特徴とする熱転写印刷粘着ラベル。
【００１２】
（４）  剥離シート基材と剥離層とで構成された剥離シートの前記剥離層に熱転写で定型および／または可変情報を示す印刷層を設ける工程と、
ラベル基材と粘着層からなる粘着ラベルの前記粘着層を、前記印刷層を設けた前記剥離層に貼着して、前記印刷層を前記粘着層の表面に転写させる工程とを有し、
前記剥離層は、オレフィン系熱可塑性エラストマーとポリエチレンとの両方を含有している剥離剤で構成されていることを特徴とする熱転写印刷粘着ラベルの製造方法。
【００１３】
（５）  前記印刷層は、熱転写リボンを用いて前記剥離層上に設けられ、
前記熱転写リボンは、熱溶融性樹脂としてエポキシ樹脂を含むものである上記（４）に記載の熱転写印刷粘着ラベルの製造方法。
【発明の効果】
【００１４】
本発明によれば、剥離シートの剥離層に熱転写により定型情報だけでなく可変情報の印刷層を簡易な設備で手間なく形成でき、さらに印刷層が剥離シートから脱落しにくいものとすることができる。
【００１５】
また、印刷層を設けた剥離シートに粘着ラベルを貼着することにより、印刷層が粘着ラベルの粘着層に容易に転写されるため、従来の直接粘着層に印刷する場合に発生していた印刷ヘッドに粘着剤が付着することはない。
【発明を実施するための最良の形態】
【００１６】
以下、図面に基づいて、本発明の好適実施形態について説明する。
図１（ａ）、（ｂ）及び（ｃ）は、本発明の第１の好適実施形態を示すもので、これらの図に示すように、本発明の熱転写印刷剥離シート１は、剥離シート基材１１と、剥離シート基材１１上に形成された剥離層１２から成る剥離シート１０と、該剥離シート１０の剥離層１２上に熱転写により形成された印刷層３とを有している。
【００１７】
より詳しく説明するに、剥離シート基材１１は、剥離層１２を支持する機能を有しており、例えば、ポリエチレンテレフタレートフィルム、ポリブチレンテレフタレートフィルム等のポリエステルフィルム、ポリプロピレンフィルムやポリメチルペンテンフィルム等のポリオレフィンフィルム、ポリカーボネートフィルム等のプラスチックフィルム、アルミニウム、ステンレス等の金属箔、グラシン紙、上質紙、コート紙、無塵紙や製図用紙などの含浸紙、合成紙等の紙およびこれらを積層したものなどで構成されている。
剥離シート基材１１の厚さは、特に限定されないが、通常２０〜２００μｍ、好ましくは２５〜１００μｍである。
【００１８】
この剥離シート基材１１上には、少なくとも片面に剥離剤で構成された剥離層１２が設けられている。
【００１９】
剥離層１２に用いられる剥離剤としては、印刷層との適宜の接着性および粘着ラベルとの剥離性を容易に得やすいことから、オレフィン系熱可塑性エラストマーとポリエチレンとの両方を含有しているものを用いる。
なお、剥離層１２は、他の樹脂成分や、可塑剤、安定剤等の各種添加剤を含んでいてもよい。
【００２０】
剥離層１２の厚さは、特に限定されないが、０．１〜５０μｍであるのが好ましく、０．３〜３０μｍであるのがより好ましい。剥離層１２の厚さが０．１μｍより薄いと剥離性に劣り、５０μｍより厚くしても剥離性は改善されず不経済である。
本発明の熱転写印刷剥離シート１の剥離層１２の表面には、熱転写による定型および／または可変情報を表示する印刷層３が設けられている。ここで、可変情報とは、すべての粘着ラベルに共通の情報を意味し、例えば、枠や会社名や製品名が含まれる。また、可変情報とは、ラベルの所定数のセットや個々のラベル毎に異なる情報を意味し、例えばまたはロット番号や連続番号（シリアルナンバー）や製造日付などが含まれる。
【００２１】
熱転写により印刷層３を形成すると、剥離層１２の表面に定型および／または可変情報を形成することができ、印刷層３を剥離層１２の表面に確実に保持できる。そのため、ラベル基材２１とその上に設けられた粘着層２２から成る粘着ラベル２０を印刷層３が形成された剥離層１２に貼着後粘着ラベル２０を剥離すると、印刷層３が粘着層２２に好適に転写されることが可能になる。
【００２２】
さらに、例えば熱転写プリンターを使用した熱転写によれば、大規模な装置を用いなくとも、印刷層３を形成できる。前記印刷層３は、通常の熱転写リボンを使用し、剥離シートの剥離層に熱転写により形成される。
【００２３】
熱転写リボンの転写層は、熱溶融性樹脂に染料、顔料などの着色剤を含有させた単層や、以下に述べる第２実施形態で用いられるような金属層と熱溶融性樹脂層の複層からなるものが挙げられる。
【００２４】
熱溶融性樹脂としては特に限定はないが、例えば、エチレン−酢酸ビニル共重合体、エチレン−アクリル酸エステル共重合体などのオレフィン系共重合樹脂、ポリアミド系樹脂、ポリエステル系樹脂、エポキシ系樹脂、ポリウレタン系樹脂、アクリル系樹脂、塩化ビニル系樹脂、セルロース系樹脂、ビニルアルコール系樹脂、脂肪酸エステル系樹脂、フェノール系樹脂、スチレン系樹脂、酢酸ビニル系樹脂等の熱溶融性樹脂、天然ゴム、スチレン−ブタジエンゴム、イソプレンゴム、クロロプレンゴム等の熱溶融性エラストマーなどが挙げられる。
【００２５】
また、必要によりパラフィンワックス、エチレンワックスそしてステアリン酸など公知のワックス類を添加しても良い。
【００２６】
金属層に用いられる金属としては、後述する第２実施形態との関係で詳述するが、例えば、金、銀、アルミニウムなどが挙げられ、蒸着やスパッタリングにより金属層が形成される。
【００２７】
印刷層３と剥離層１２との接着力は、印刷層３の形成後粘着ラベル２０の貼着前に、印刷層３が剥離層１２から剥離、脱落することがなく、粘着ラベル２０の剥離シート１０からの剥離力より同等か低ければ特に限定はない。
【００２８】
本発明の熱転写印刷粘着ラベル２に用いられる粘着ラベル２０は、ラベル基材２１と、粘着層２２からなる公知の粘着ラベルを用いることができる。
【００２９】
ラベル基材２１は、粘着層２２を支持する機能を有しており、前述した剥離基材１１と同様のもので構成することができる。またラベル基材２１は単層に限らず必要により多層であってもよい。
【００３０】
ラベル基材２１を透明にすると、ラベル基材２１が印刷層３の保護層として機能することができる。このような粘着ラベル２０を用いた熱転写印刷粘着ラベル２では、印刷層３の表示をラベル基材２１越しに見ることができる。
【００３１】
ラベル基材２１を不透明にすると、透明な被着体に熱転写印刷粘着ラベル２を貼着して透明な被着体側から印刷層３の表示を見るのに適したラベルを、得ることもできる。
【００３２】
また、ラベル基材２１を不透明にすると、粘着層２２に隠し情報を有する熱転写印刷粘着ラベル２を得ることができる。
このようなラベル基材２１の厚さは、特に限定されないが、２０〜２００μｍ程度であるのが好ましく、２５〜１００μｍ程度であるのがより好ましい。
【００３３】
ラベル基材２１に設けられた粘着層２２は、粘着剤を主剤とした粘着剤組成物で構成されている。
粘着剤としては、アクリル系粘着剤、ウレタン系粘着剤、エポキシ系粘着剤、ゴム系粘着剤そしてシリコーン系粘着剤など公知の粘着剤が使用できる。
【００３４】
粘着層２２の厚さは、特に限定されないが、１〜１００μｍであるのが好ましく、１０〜５０μｍであるのがより好ましい。
【００３５】
粘着剤の被着体に対する粘着力は印刷層３と剥離層１２との接着力より大きければ、特に限定はなく、粘着ラベルの使用にあわせて適宜選択できる。
【００３６】
次に、図２及び図３を参照して、本発明の第２実施形態について説明する。なお、前述した第１実施形態と同一の部材には、同一の符号を付してある。
【００３７】
この第２実施形態は、粘着ラベル２０の粘着層２２に蛍光染料を含有させ、その粘着層２２に金属層５５を有する印刷層３Ａを設けた熱転写印刷剥離シート１の剥離層１２を貼着した熱転写印刷粘着ラベル２を被着体に貼着した場合、その粘着ラベル２がたとえ剥されてもその痕跡には印刷層３Ａの情報表示部を除く部分の蛍光染料が被着体に移行するため、紫外線ランプ等の照射により印刷層３Ａの情報表示が白ヌケ（蛍光染料が発色しない状態）として確認できるようにしたものである。
【００３８】
より詳しく説明するに、この第２実施形態では、粘着ラベル２０の粘着層２２は蛍光塗料を含んでおり、また剥離シート１０に設けられた印刷層３Ａは金属層を含んでいる。
【００３９】
この第２実施形態では、図２に示すような熱転写印刷リボン５０が好適に用いられる。この熱転写印刷リボン５０は、概ねリボン基材５１と、該リボン基材５１の剥離面に設けられた着色層５３と、着色層５３の他方の面に設けられた蒸着金属層５５と、蒸着金属層５５の他方の面に設けられた粘着層５７とを備えている。このリボン基材５１は、好ましくは、ポリエチレンテレフタレートフィルムなどが用いられる。着色層５３は、蒸着金属層５５を保護するために用いられており、各種樹脂から製造することができる。蒸着金属層５５は、アルミニュウムを蒸着することにより形成されているが、前述したように、金、銀などのほかの金属を蒸着することにより形成することもでき、またスパッタリングにより形成してもよい。粘着層５７は、好ましくは、脂肪酸エステル系樹脂などから形成される。このような熱転写印刷リボンの例としては、（株）村田金箔社製の熱転写印刷リボン（製品名：「ＭＧＲシリーズ」）が挙げられる。
【００４０】
このような熱転写印刷リボン５０が用いられると、図３に示すように、着色層５３、蒸着金属層５５及び粘着層５７から成る印刷層３Ａが剥離シート１０上に粘着層５７が剥離シートの剥離層１２に貼着されるように形成され、それによって、熱転写印刷剥離シート１が形成される。
【００４１】
この実施形態によれば、粘着ラベル２０が熱転写印刷剥離シート１から剥がされると、印刷層３Ａの金属層５５によって提供される情報が熱転写印刷粘着ラベル２の粘着層２２に転写され、それによって熱転写印刷粘着ラベル２を得ることができる。このような熱転写印刷粘着ラベル２を貼着体に貼着すると、粘着層２２の印刷された情報以外の部分に含まれる蛍光塗料が貼着体に移行する。そのため、この実施形態では、熱転写印刷粘着ラベル２を貼着体から剥がした後も、貼着体は紫外線ランプ等の照射により依然として印刷層の情報表示を白ヌケとして（蛍光塗料が発色しない状態として）確認することができるセキュリティラベルを提供することができる。
【００４２】
なお、粘着層２２に含ませる蛍光染料としては、蛍光増白剤、蛍光染料、集光（蓄光）染料が挙げられる。
【００４３】
次に、本発明の熱転写印刷剥離シートを用いて、粘着ラベルの粘着層の表面に印刷層を設けた熱転写印刷粘着ラベルの製造方法について、模式的に示した図１に基づいて説明する。なお、前述した第２実施形態の場合も、印刷層３Ａの構成と粘着ラベル２０の粘着層に蛍光塗料が含まれている点を除き、図１と同様の方法により熱転写印刷粘着ラベルが形成される。
【００４４】
まず、図１（ａ）に示すように剥離シート基材１１と剥離層１２からなる剥離シート１０の剥離層１２上に熱転写により、枠や製品名や会社名などの定型情報および／またはロット番号や連続番号や日付などの可変情報を印刷し、印刷層３とし、熱転写印刷剥離シート１を製造する。
【００４５】
上記熱転写とは、熱転写プリンターや熱転写印刷機などの熱転写方式の印刷装置であれば特に限定はない。
【００４６】
次に、図１（ｂ）に示すように、剥離シート１０の印刷層３を設けた剥離層１２の面に、ラベル基材２１と粘着層２２からなる粘着ラベル２０の粘着層２２を貼着させ、熱転写印刷粘着ラベル２を製造する。
【００４７】
この熱転写印刷粘着ラベル２は剥離シート１０から粘着ラベル２０を剥離すると、図１（ｃ）に示すように、剥離層１２上に形成された印刷層３は、粘着層２２に付着し、剥離層１２から剥離されることとなる。すなわち、印刷層３は、剥離シート１０から粘着ラベル２０に転写されることとなる。
【００４８】
前記熱転写印刷粘着ラベル２の製造方法において、前述した第２実施形態のように印刷層３Ａに前記した金属層を有するものを用い、粘着層２２に蛍光染料が含まれている粘着ラベル２０を用いれば、前記したように、被着体の粘着ラベルが貼着した痕跡に印刷層３による情報を含んだ蛍光染料が残るセキュリティーラベルを作成できる。
【００４９】
以上、熱転写印刷粘着ラベル２の製造方法を図示の実施形態に基づいて説明したが、あらかじめ粘着ラベル２０と剥離シート１０が貼着したものをいったん剥がして、熱転写により剥離シート１０の剥離層１２上に印刷層３を設けた後再度貼着し熱転写印刷粘着ラベル２を製造できることはいうまでもない。
【実施例】
【００５０】
１．熱転写印刷剥離シートの作成
（実施例１）
剥離シート基材として無塵紙（リンテック社製：商品名「クリーンペーパー」、９３μｍ）の片面に剥離剤としてオレフィン系熱可塑性エラストマー（三井石油化学工業（株）社製：商品名「タフマーＰ−０２８０Ｇ」）５０重量部とポリエチレン樹脂（住友化学工業（株）社製：商品名「ＨＩ−αＣＷ２００４」）５０重量部からなる剥離剤を使用し押出ラミネート法により厚さ２２μｍの剥離層を設けた剥離シートを用意した。次に熱溶融性樹脂としてエポキシ系樹脂に着色剤を含有した転写層を有する熱転写リボン（オートニクス（株）社製：商品名「オートニクスＨＤ」）を熱転写プリンター（Zebra Technologies Corporation社製：商品名「１４０Ｘｉ」）で「封印２０００年５月」の文字からなる情報を前記剥離シートＡの剥離層上に印刷し、熱転写印刷剥離シートを作成した。
【００５１】
（実施例２）
転写層が熱溶融性樹脂の脂肪酸エステル系樹脂層とアルミニウム蒸着層を有する熱転写リボン（（株）村田金箔社製：商品名「ＭＧＲ金」）を使用したこと以外は実施例１と同様にして熱転写印刷剥離シートを作成した。
【００５２】
２．熱転写印刷粘着ラベルの作成
（実施例３、実施例４）
ラベル基材としての厚さ５０μｍの透明ポリエチレンフィルムの片面に、厚さ２２μｍのアクリル系粘着剤（リンテック（株）製：商品名「ＰＡ−Ｔ１」）の粘着層を設けた粘着ラベルを実施例１、実施例２の熱転写印刷剥離シートに貼着し、熱転写印刷粘着ラベルを作成し、それぞれ、実施例３、実施例４とした。
【００５３】
（実施例５）
ラベル基材としての厚さ５０μｍの不透明な白色ポリエチレンテレフタレートフィルムの片面に厚さ２４μｍの蛍光染料を含んだアクリル系粘着剤の粘着層を設けた粘着ラベル（リンテック（株）製：商品名「ＰＥＴＷＨ５０（Ａ）Ｐ７００６」）を実施例２の熱転写印刷剥離シートに貼着し、熱転写印刷粘着ラベルを作成し、実施例５とした。
【００５４】
次に実施例３〜５で得られた熱転写印刷粘着ラベルについて下記のようにしてラベルの手剥がし性試験、印刷層の転写の状態、表示された情報の形崩れ、及び痕跡蛍光染料の情報状態を評価して表１に示した。
【００５５】
・手剥がし性試験
剥離シートから熱転写印刷粘着ラベルを手で剥がし、その作業性について下記の基準で評価した。
○：熱転写印刷粘着ラベルの印刷層の部分と、印刷層のない部分で違和感なく剥離シートから剥離できる。
×：熱転写印刷粘着ラベルの印刷層の部分で剥離が重く、剥離作業が困難であった。
【００５６】
・印刷層の転写の状態
剥離シートから熱転写印刷粘着ラベルを剥離し、剥離シートの剥離層の面と熱転写印刷粘着ラベルの粘着層の表面に転写された印刷層の状態を肉眼で観察し、下記の基準で評価した。
◎：剥離層上に印刷層は残存せず、熱転写印刷粘着ラベルの粘着層の表面に、印刷層が完全に転写された。
○：剥離層上に印刷層はほとんど残存せず、熱転写印刷粘着ラベルの粘着層の表面に、印刷層がほぼ完全に転写された。
△：剥離層上に印刷層がある程度残存し、熱転写印刷粘着ラベルの粘着層の表面に、印刷層が十分に転写されなかった。
×：剥離層上に印刷層がほとんど残存し、熱転写印刷粘着ラベルの粘着層の表面に、印刷層がほとんど転写されなかった。
【００５７】
・表示された情報の形崩れ
次に、剥離シートから剥離した熱転写印刷粘着ラベルを、透明ガラス板の被着体に貼着した。次に、ラベル基材が透明な実施例４〜６の場合はラベル基材越しに、ラベル基材が不透明な実施例７、８の場合は被着体越しに、印刷層により構成された情報を観察した。そして、印刷層により構成された情報の表示を下記の基準で評価した。
◎：表示された情報に欠け、欠落等の形崩れが全く確認されなかった。
○：表示された情報に欠け、欠落等の形崩れがほとんど確認されなかった。
△：表示された情報に大きな欠落、形崩れが見られた。
×：情報がほとんど表示されなかった。
【００５８】
・痕跡蛍光染料の情報の状態
剥離シートから熱転写印刷粘着ラベルを剥離し、厚さ２ｍｍのポリプロピレン板（ＰＰ板）に貼着し、２kgのゴムローラーで５往復させた。室温で２４時間放置した後ＰＰ板から粘着ラベルを剥がし、そのＰＰ板にブラックライトを当てた。ＰＰ板に移行した蛍光染料による発光部の情報状態を肉眼で観察し、下記の基準で評価した。
◎：「封印２０００年５月」の文字情報が容易に認識できた。
×：ＰＰ板の発光部が一様に発光し、情報が確認できない。
【００５９】
【表１】
2006082551.tif 000003
【図面の簡単な説明】
【００６０】
【図１】本発明の熱転写印刷粘着ラベルの製造方法を説明するための縦断面図である。
【図２】本発明の第２実施形態で用いられる熱転写印刷リボンの構造を模式的に示す断面図である。
【図３】本発明の第２実施形態にかかる熱転写印刷剥離シートの構造を模式的に示す断面図である。
【符号の説明】
【００６１】
１              熱転写印刷剥離シート
２              熱転写印刷粘着ラベル
３              （熱転写）印刷層
３Ａ            金属層が含まれている（熱転写）印刷層
１０            剥離シート
１１            剥離シート基材
１２            剥離層
２０            粘着ラベル
２１            ラベル基材
２２            粘着層
５０            熱転写印刷リボン
５１            リボン基材
５３            着色層
５５            金属層
５７            粘着層
【図１】
2006082551.tif 000004
【図２】
2006082551.tif 000005
【図３】
2006082551.tif 000006